【事件の表示】
　平成　７年特許願第１２６８６７号「ディジタル画像データの印刷装置」拒絶査定に対する審判事件［平成　８年　１月１９日出願公開、特開平　８−　１８７５３］について、次のとおり審決する。
【結　論】
　本件審判の請求は、成り立たない。
【理　由】
１．手続きの経緯・本願発明
　本願は、平成７年５月２５日（パリ条約による優先権主張１９９４年６月７日、オランダ国）の出願であって、その請求項１に係る発明は、平成１１年１２月６日付け手続補正書により補正された明細書の記載からみて、その特許請求の範囲の請求項１に記載された次の事項により特定されるとおりのものと認める。（以下、「本願発明」という。）
「【請求項１】　操作者によって操作される操作手段を備えた操作ユニットと、
　ネットワークを介して外部供給源から印刷用のデータファイルを受信する少なくとも１台の入力ユニットと、
　画像保持体に画像データファイルを印刷する印刷ユニットと、
　印刷用のデータファイルが記憶される記憶装置と、
　該印刷ユニット及び該操作ユニットに接続され、該記憶装置に記憶された該印刷用のデータファイルを上記印刷ユニットによって印刷させる制御ユニットとを有するディジタル画像データの印刷装置であって、
　該制御ユニットは、該操作手段を介して操作者から、該記憶装置に記憶された該印刷用のデータファイルの中で印刷用の特定のデータファイルの指定し、指定された該特定のデータファイルを印刷させる印刷コマンドを受けたときに限り、受信された何れかの該印刷用のデータファイルに対応した画像データファイルが印刷されるよう適合されていることを特徴とする印刷装置。」
２．引用例
　これに対して、原査定の拒絶の理由に引用された、本願優先権主張の日前である平成６年４月１５日に頒布された特開平６−１０３３５９号公報（以下、引用例１という。）には、 次の事項が記載されている。
（１）「【００１０】
【実施例】以下、本発明の実施例における情報ファイル装置について図を参照しながら説明する。
【００１１】図１は本発明の実施例における情報ファイル装置のブロック構成図である。
【００１２】図１において、主制御手段１には、画像情報等の読取りを行なうスキャナ２、制御及び出力表示を行なうＣＲＴディスプレイ３、画像情報等のデータを格納する書替型の光ディスク４、ユーザがキー入力を行なうキーボード５、ポインティングデバイスとして使用するマウス６、レーザプリンタ等からなるプリンタ７が接続されている。
【００１３】主制御手段１は、各種制御を行なうマイクロコンピュータ等から構成されるシステム制御部１０１、スキャナ２とのインターフェースを制御するスキャナＩ／Ｆ回路１０２、ＣＲＴディスプレイ３に出力表示される画像情報等のデータ及び制御情報等を記憶する表示メモリ１０３、表示メモリ１０３に記憶されている画像情報等のデータをＣＲＴディスプレイ３への表示制御を行なう表示制御部１０４、書替型光ディスク４に書込みまたは読出した画像情報等のデータの圧縮伸長処理を行なう圧縮伸長部１０６、伸長前または圧縮後の圧縮された画像情報のデータを一時的に記憶するバッファメモリ１０７、書替型光ディスク４に対して記憶再生動作を行なう光ディスク記憶再生部１０８、スキャナ２或いは書替型の光ディスク４より読込まれた画像情報等のデータを記憶する画像メモリ１０５、仮登録された画像情報を一時的に記憶する画像データ記憶部１１０、前記画像情報に対応付けられ前記画像情報を管理するためのデータを記憶する画像管理データ記憶部１１１、前記画像データ記憶部１１０や画像管理データ記憶部１１１に対して記録再生動作を行なうデータ記録再生部１０９、ハード出力を行なう際に画像メモリ１０５に記憶されたデータをプリンタ７に出力する単位のデータにして記憶するプリンタＩ／Ｆ回路１１２を具備している。
【００１４】特に、前記システム制御部１０１には、一時記憶エリアと日時を管理するエリアを有しており、画像データ記憶部１１０と画像管理データ記憶部１１１の２つの記憶部は、ＵＮＩＸやＭＳ?ＤＯＳのようなファイル構造をもったＯＳを積載したハードディスク等の大容量記憶媒体である。
【００１５】また、利用者はキーボード５を打鍵したり、或いはポインティングデバイスであるマウス６の操作により、本実施例の情報ファイル装置の駆動制御を行なう。
　次に、上記のように構成された本実施例の情報ファイル装置のシステム制御部１０１で行なう動作を説明する。」（引用例１の第２頁第２欄第４６行目〜第３頁第３欄第４２行目）
（２）「【００２０】まず、利用者が原稿をスキャナ２にセット（ステップＳ１１）し、仮登録の実行を指示する（ステップＳ１２）と、システム制御部１０１はデータ記録再生部１０９に現在の仮登録画像情報数ｎ（図７の２ａ）が最大仮登録画像情報数ｍ（図７の１ａ）を越えていないかをチェックし、データ記録再生部１０９は画像管理データ記憶部１１１に図７のように記憶している仮登録画像管理データを参照してチェックした結果をシステム制御部１０１に返す（ステップＳ１３）。
【００２１】前記チェックが終了するとシステム制御部１０１は、スキャナＩ／Ｆ回路１０２に原稿を１枚入力するよう命令する。前記命令を受けたスキャナＩ／Ｆ回路１０２は、スキャナ２を起動して光学的に読取らせ（ステップＳ１４）、読取った画像情報を画像メモリ１０５に書込み、画像メモリ１０５内の画像情報を情報ファイル装置で扱う符号化方式で圧縮するように圧縮伸長回路１０６に命令する。前記命令を受けた圧縮伸長回路１０６は画像メモリ１０５より画像情報を取込み、情報ファイル装置で扱う符号化方式で圧縮した画像情報をバッファメモリ１０７に記憶させておき、圧縮が全て終了するとシステム制御部１０１に圧縮処理の終了を知らせる（スッテプＳ１５）。」（引用例１の第３頁第４欄第１８行目〜同頁同欄第３９行目）
　これらの記載からみて引用例１には次のことが記載されているものと認められる。
「ユーザがキー入力を行なうキーボード５と、ポインティングデバイスとして使用するマウス６と、
　画像情報等の読取りを行なうスキャナ２と、
  レーザプリンタ等からなるプリンタ７と、
  スキャナ２或いは書替型の光ディスク４より読込まれた画像情報等のデータを記憶する画像メモリ１０５と、
  各種制御を行なうマイクロコンピュータ等から構成されるシステム制御部１０１と
を具備した情報ファイル装置。」
３．対比
　そこで、本願発明と、引用例１に記載された発明とを対比すると、引用例の「キーボード５、マウス６」、「スキャナ２」、「プリンタ７」、「画像メモリ１０５」、「システム制御部１０１」は、それぞれ本願発明の「操作ユニット」、「入力ユニット」、「印刷ユニット」、「記憶装置」、「制御ユニット」に相当するものと認められるから、
両者は
「操作者によって操作される操作手段を備えた操作ユニットと、
　少なくとも１台の入力ユニットと、
　画像保持体に画像データファイルを印刷する印刷ユニットと、
　データファイルが記憶される記憶装置と、
　該印刷ユニット及び該操作ユニットに接続され、該記憶装置に記憶されたのデータファイルを上記印刷ユニットによって印刷させる制御ユニットとを有する画像データの印刷することができる装置。」
である点において一致し、次の点で相違している。
（相違点）
（相違点１）入力ユニットが、本願発明では、ネットワークを介して外部供給源から印刷用のデータファイルを受信するのに対して、引用例１では、スキャナからの入力のみでネットワークを介して外部供給源から印刷用のデータファイルを受信することは記載されていない点。
（相違点２）記憶装置に記憶されるデータファイルが、本願発明では、印刷用のデータファイルが記憶されるのに対して、引用例１では、印刷用のデータファイルとは明記されていない点。
（相違点３）本願発明のものが、ディジタル画像データの印刷装置であるのに対して、引用例１のものは、情報ファイル装置である点。
（相違点４）本願発明の制御ユニットが、操作手段を介して操作者から、記憶装置に記憶された印刷用のデータファイルの中で印刷用の特定のデータファイルの指定し、指定された特定のデータファイルを印刷させる印刷コマンドを受けたときに限り、受信された何れかの印刷用のデータファイルに対応した画像データファイルが印刷されるよう適合されているのに対して、引用例１にはそのことは記載されていない点。
４．当審の判断
　上記相違点を検討すると、
（１）相違点１について
  ネットワークを介して外部供給源から印刷用のデータファイルを受信することは、ファクス及びメイル等により周知のことであるから、引用例１のものをネットワークを介して外部供給源から印刷用のデータファイルを受信するようにすることは当業者が容易に推考することができることである。
（２）相違点２について
　引用例１においても、「画像メモリ１０５に記憶されたデータをプリンタ７に出力する単位データにして記憶するプリンタＩ／Ｆ回路１１２を具備している」と記載されており、画像メモリには印刷に用いるデータが記憶されている。
（３）相違点３について
　別々の装置、手段またはユニットを目的に合わせて集め、その目的の名前で装置を呼ぶことは当業者通常行っていることであるから、引用例１のものは、キーボードと、マウスと、スキャナと、プリンタと、画像メモリと、及びシステム制御部とを有する情報ファイル装置であるが、これの装置の集まりを印刷することを目的として集めたとして、装置として印刷装置と呼ぶことは当業者が適宜行うことができることである。
また、本願発明は、操作ユニットと、入力ユニットと、印刷ユニットと、記憶ユニットと、及び制御ユニットとを有する印刷装置であるが、各ユニットが独立に設けられているとも一体に設けられているとも特許請求の範囲には限定されておらず、これらの別々のユニットを目的に合わせて集め、これを印刷装置と言うことに格別意味があることではない。
（４）相違点４について
　データファイル中のデータを印刷するときに、記憶装置に記憶されたデータファイルの中で特定のデータファイルを指定し、指定された特定のデータファイルを印刷させる印刷コマンドを受けたときに限り、データファイルに対応した画像データファイルが印刷されるようすることは、通常に行っていることであるから、引用例１のものをネットワークを介して外部供給源から印刷用のデータファイルを受信するものとした時に、印刷時に引用例１の制御部が、本願発明の制御ユニットと同様な動作をするようにすることは当業者が容易に考えられることである。
　そして、本願発明は、前記引用例１に記載された発明から予測できる作用効果以上の顕著な作用効果を奏するものとは認められない。
５．むすび
　従って、本願請求項１に係る発明は、前記引用例１に基づいて当業者が容易に発明できたものであるから、特許法第２９条第２項の規定により特許を受けることができない。
　よって、結論のとおり審決する。